(57)【要約】【課題】  本発明はこのような点に鑑み、野球バット、テニスのラケット等の強力なスイングを修得するための練習具を提供し、ゴルフクラブにおいてもタイミングを適正に確保しつつヘッドスピードを向上させることができるスイング練習具を提供する。【解決手段】  本発明は野球用バット、ゴルフクラブ又はテニス用ラケットのスイング練習具であって、グリップと弾性を有するシャフトと空気抵抗発生部とスイングバランス調整部とからなり、該空気抵抗発生部が籠状フレームとこれを覆うネットにより構成され、前記シャフトに着脱自在であることを特徴とするスイング練習具である。【選択図】      図２
2005137396.tif 000002
【特許請求の範囲】
【請求項１】
野球用バット、ゴルフクラブ又はテニス用ラケットのスイング練習具であって、グリップと弾性を有するシャフトと空気抵抗発生部とスイングバランス調整部とからなり、該空気抵抗発生部が籠状フレームとこれを覆うネットにより構成され、前記シャフトに着脱自在であることを特徴とするスイング練習具。
【請求項２】
上記シャフトは２分割可能である請求項１記載のスイング練習具。
【請求項３】
上記スイングバランス調整部は、複数の薄円盤型重錘を必要枚数だけ着脱自在であることを特徴とする請求項１又は２に記載されたスイング練習具。
【請求項４】
上記シャフトの先端部には、固定台を着脱自在であることを特徴とする請求項１〜３のいずれかに記載のスイング練習具。
【発明の詳細な説明】
【技術分野】
【０００１】
本発明は、野球のバットやゴルフクラブ、テニスのラケット等をスイングする場合、そのスイングスピード、タイミング等を強力かつ正確にするための練習具に関する。
【背景技術】
【０００２】
従来この様な練習具に関しては、例えば次のような発明が知られている。
【特許文献１】特開２００１−２９５２５号公報
【特許文献２】特開２００１−４６５７６号公報
【特許文献３】特開２００１−３４０５０６号公報
【発明の開示】
【発明が解決しようとする課題】
【０００３】
例えば野球バットのスイングにおいては、投手の投じた球にバットを正確に合わせると同時に強力な打撃力が要求される。このため、一般的なスイング練習方法としては、通常のバットにリング状のウエイトを装着したものを用いてこれを繰り返しスイングする方法が用いられる。
又、その他の方法としては、重量の比較的重い練習専用のバットを用い、この重いバットを繰り返しスイングするか、実際に打席に立つ前にこの練習用バットを数回繰り返しスイングし、次に通常のバットで打席に向う方法が採られている。
【０００４】
また、上記特開２００１−２９５２５号公報に記載された打撃用練習具にあっては、バットがボールを捉える理想的な位置を打撃練習により自覚するために、通常のバットの特定領域に検知手段を固定し、当該検知手段にボールが当るとこれを使用者に報知するごとき練習具である。つまり、スイング時にボールをバットの芯で捉えたか否かを検知する手段を、通常のバットと同一構造のバットに装着自在としたものである。
【０００５】
一方ゴルフクラブについて見ると、特開２００１−４６５７６号公報に記載された発明は、通常のゴルフクラブのグリップ及び短縮されたシャフト部を有し、該シャフトの先端に円柱体のヘッドを装着すると共に、該ヘッド内に一対のレーザモジュールを内装し、このレーザモジュールから照射される２つのビームがグランド表面と衝突する点のスイング時の軌跡によって、スイング時の仮想クラブフェースの足跡を視覚的に検知してスイング面を矯正するものもある。
【０００６】
更に、例えば特開２００１−３４０５０６号公報の発明のごとく、ゴルフクラブのシャフト先端部を折れ曲がり可能にすると共に、別途折れ曲がり防止手段を装着し、スイング時に使用者がグリップに対して、ヘッドの回転方向と反対の方向のトルクが加わるような力を加えると上記シャフト先端部が折れ曲がり、これを折れ曲がり防止手段で調節することによって、グリップに対する過度の力の入りを防止するごとき練習クラブが知られている。
【０００７】
上記のごとき従来公知のスイング練習具にあっては、バット、クラブ、ラケット等のスイング時のタイミング又は適正なスイング軌道の修得にはある程度役立つとしても、適正なスイングのタイミングを保ちつつスイングスピードを向上させるためのトレーニングを行うことは困難であり、特に、力強いスイングを修得するための適正な筋力アップを目的としたトレーニングには不向きである。
本発明はこのような点に鑑み、野球バット、テニスのラケット等の強力なスイングを修得するための練習具を提供し、ゴルフクラブにおいてもタイミングを適正に確保しつつヘッドスピードを向上させることができるスイング練習具を提供するものである。
【課題を解決するための手段】
【０００８】
本発明は野球用バット、ゴルフクラブ又はテニス用ラケットのスイング練習具であって、グリップと弾性を有するシャフトと空気抵抗発生部とスイングバランス調整部とからなり、該空気抵抗発生部が籠状フレームとこれを覆うネットにより構成され、前記シャフトに着脱自在であることを特徴とするスイング練習具である。
上記シャフトは２分割可能であり、上記スイングバランス調整部は、複数の薄円盤型重錘を必要枚数だけ着脱自在であると共に、上記シャフトの先端部には、固定台を着脱自在であることを特徴とするスイング練習具である。
【発明の効果】
【０００９】
本発明に係るスイング練習具によれば、空気抵抗発生部に設けたネットの網目を選択することによって抵抗力を自在に調整することができるので、野球のバット、ゴルフクラブ、テニスのラケット等のスイング練習においてそのスイングリズム修得及びスイングスピードの向上のためのトレーニングができ、練習者の能力に合ったスイング練習が簡単にできる効果がある。
また、籠状フレームとシャフトを着脱自在とし、更にシャフトも２分割可能とすることによって、運搬、組み立てが極めて簡単なスイング練習具を得ることができた。
更に、固定台を着脱自在とすることにより、不使用時にも立て置きが可能であって練習所での設置が容易である。
そして特に、籠状フレームとネットとの組合わせによって空気抵抗を調節できるために、スイング力のトレーニングに極めて有効な練習具を提供することができた。
【発明を実施するための最良の形態】
【００１０】
本発明に係る実施の形態を図１〜図１１によって説明する。
図１〜図５は、本発明に係るスイング練習具のうち、特に野球のバットのためのスイング練習具に関するものである。図１は、野球用バット型スイング練習具１０の骨格構造を示す断面図であって、グリップ部１１、抵抗力発生部１２及びスイングバランス調整部１３を有している。また、符号１４は該野球用バット型スイング練習具１０を不使用時に立てた状態で載置するための固定台を示している。
【００１１】
グリップ部１１は、グリップ１５とシャフト１６−１を有し、そのグリップ１５は、通常の野球用バットのグリップと同様の木製グリップでも良く、その他の金属バットのごとく、シャフト１６−１の一端にゴム製又は合成樹脂製のグリップ材を装着したものであっても良いが、太さ及び長さは通常の野球バットのグリップ部分と同一にするのが良い。
また、該グリップ１５の先端側にはシャフト１６−１が連結されており、一般的にはシャフト１６−１の端部にグリップ１５を嵌挿する形式である。そして、該シャフト１６−１は例えば金属製又はカーボングラファイト製の弾性部材によって作成され、スイング時に適当の「シナリ」を生ずるように、その弾性が決定されている。
【００１２】
抵抗力発生部１２は、シャフト１６−２に本発明の最も特徴的構造であるフレーム１８を装着した状態を示しており、該フレーム１８がリング状枠材１９と該リング状枠材と直角に交叉する長円形状枠材２０と、シャフト支持リング２１と、該シャフト支持リング２１及びリング状枠材１９とを連結する複数の放射状支持枠材２２とからなっている。
そして、これら複数のシャフト支持リング２１〜２１に上記複数本の放射状支持枠材２２〜２２を固着し、その先端部に上記リング状枠材１９〜１９及び長円形状枠材２０〜２０を固着することによって、籠状のフレーム１８が形成される。又、実際には後述するように、該フレーム１８の外周部にネット材を張設することによって空気による抵抗力を発生するものである。
【００１３】
上記籠状のフレーム１８におけるシャフト支持リング２１〜２１にはシャフト１６−２が挿通され、該シャフト１６−２と上記シャフト１６−１とが連結されて一本のシャフト１６を構成するけれども、その結合手段の実施例は後述する形式のものであり、また、これらシャフト１６−１，１６−２を一体のシャフト１６として形成することもできる。
【００１４】
図２は、上記図１に示す野球用バットのための練習具１０のフレーム１８を用い、その上に空気抵抗体であるネット２５を装着して抵抗力発生部１２を完成させた状態を示している。ここで、ネット２５は適当な網目の金網でよく、合成樹脂製のネットでも良いが、要は、網目の大きさを選択することによってスイング時の空気抵抗を変化させることができるものである。
この様な野球用バット型スイング練習具１０は、空気による抵抗力発生部１２の先端部であるスイングバランス調整部１３において、調整用ウエイトである薄円盤型重錘２３〜２３の装着枚数を増減することによりスイングバランスを調整すると共に、グリップ１５を握ってスイングを繰り返し練習する。
なお、練習中は図示の後述する固定台１４が取り外されている。
【００１５】
図３〜図５は、上記野球用バット型スイング練習具１０の特にフレーム１８部分の構造を、一実施例について詳細に説明するものである。
図３は、図１におけるＡ−Ａ断面を示しており、最先端部及び次のシャフト支持リング２１，２１に固着された長円形状枠材２０〜２０と、放射状支持枠材２２〜２２が示されている。そして、最先端のシャフト支持リング２１の先端側には、後に図５において説明するような薄円盤型重錘２３及び不使用時のスタンド用固定台１４である円盤が装着されている。なお、該固定台１４は可成りの重さを有する鉄製円盤で構成されるが、その形状は任意である。
【００１６】
図４は、上記図１に示すグリップ部１１におけるシャフト１６−１と、フレーム１８におけるシャフト１６−２を着脱可能とする形式の構造を示している。図示の如くこれらの接続部は、例えば一方のシャフト１６−１の端部に雄ねじ部１６−３を、他方のシャフト１６−２の端部に雌ねじ部１６−４を設けることによって、これらを着脱自在の構成としている。しかし、これらのシャフト１６−１，１６−２は一本のシャフト１６として構成し、シャフト自体を２分割しない構造とすることもできる。また、符号２４はストッパーを示しており、フレーム１８のシャフト支持リング２１を挿通した場合、該フレーム１８のグリップ１５方向への移動を防止するものである。該ストッパー２４は、予めシャフト１６−１の適当位置に固着されている。
【００１７】
図５は、上記図１における野球用バット型スイング練習具１０の、シャフト１６−２及びフレーム１８の先端の構造を示している。上記着脱可能なシャフトの先端側のシャフト１６−２の端部には、フレーム１８の先端側のシャフト支持リング２１が挿通されると共に、更にその先端側に複数の調整用ウエイトである薄円盤型重錘２３〜２３が嵌挿固定され、上記シャフト１６−２の端部には、固定台１４が着脱可能にネジ止めされている。
なお、この練習具の使用時には該固定台１４の代わりにナット（図１１参照）を用いて上記フレーム１８及び調整用ウエイトである薄円盤型重錘２３〜２３を固定するものである。
【００１８】
図６、図７は、本発明のゴルフクラブ型スイング練習具３０の構造を示している。図６は、上記野球用バット型スイング練習具１０に関する図１に対応するものであって、基本的な構造はこれと略同一である。すなわち、ゴルフクラブ型スイング練習具３０は、グリップ部３１、抵抗力発生部３２、スイングバランス調整部３３を有しており、グリップ３５とシャフト３６と、該シャフト３６に着脱自在のフレーム３８が設けられるものである。
また、シャフト３６は上記野球用バット型練習具におけるシャフト１６と同様に、単一のシャフトであっても良く、中間で２分割されて接続可能なものでも良い。そして、ゴルフクラブ型スイング練習具の場合、シャフトの弾性は実際のクラブより可成り剛性の大きなものが使用される。
【００１９】
同様に、フレーム３８はシャフト３６が挿通されるシャフト支持リング４１〜４１と、該支持リング４１に夫々固着される多数の放射状支持枠材４２〜４２と、これらの各放射状支持枠材４２の端部に固着されるリング状枠材３９〜３９と、複数の長円形状の枠材４０〜４０とを有し、これらの長円形状枠材４０〜４０は夫々上記リング状枠材３９〜３９と夫々の交叉部分において固着されている。
従って、図１において説明したフレーム１８と略同様のフレーム３８が形成され、しかしながら、ゴルフクラブ型の練習具３０における上記フレーム３８は、野球バット型練習具のそれよりもはるかに小型であって、発生する空気抵抗も小さくされている。
また、スイングバランス調整部３３、固定台３４の構造も基本的に図１のものと同様であるが、ゴルフクラブ型の練習具の方がより微調整可能とすることができる。
【００２０】
図７は、上記図６に示す練習具の骨格に対して、図２のものと同様のネットを装着した状態を示している。この場合も、ネット４５は図２のものと同様に、その材質等は適宜であるけれども、ゴルフクラブのスイングにあってはスイング力よりもタイミングが重要であることから、空気抵抗体による抵抗力の発生は可成り小さくされるものである。また、グリップ３５及びシャフト３６等を含む練習具３０の全長は、通常のクラブと略等しいものとする。
更に、符号３７は図１等に示すストッパー２４と同様のストッパーである。
【００２１】
図８〜図１１は、例えば図３〜図５に示す野球バット型スイング練習具の骨格を形成する部分の、特にシャフトとフレーム、分割されたシャフト同志、スイングバランス調整部等の部分の他の実施例を示すものである。
図８において、シャフト１６はシャフト１６−１，１６−２に分割されているけれども、この実施例においては、各シャフト１６−１，１６−２の端部に雄ねじを設け、フレーム１８の端部と一体とされたシャフト支持リング２１に貫通する雌ねじ孔を設けることによって、これら各シャフトとフレームとを着脱可能としている。
【００２２】
図９は、同じくシャフト１６−１，１６−２の連結部の構成における他の実施例を示している。シャフト１６−２はシャフト支持リング２１と一体化されており、すなわちフレーム１８を構成する各部材である長円形状枠材２０、シャフト支持リング２１、放射状支持枠材２２とシャフト１６−２を予め一体に形成しておき、この様なフレーム１８とシャフト１６−１とを着脱自在に構成したものである。
【００２３】
図１０は、上記図８に示す形式のフレーム１８を構成する各部材とシャフト１６−２とその先端側の構造を示している。シャフト支持リング２１，２１は、夫々放射状支持枠材２２〜２２及び長円形状枠材２０〜２０と結合されており、このような構造のフレーム１８に対してシャフト１６−２の端部を挿通すると共に、薄円盤重錘２３，２３の枚数を調整し、更にナット２６によって固定する。なお、スタンド用固定台１４はシャフト１６−２の最先端にねじ止め可能であり、本発明のスイング練習具を使用しない時に、該固定台１４を装着して練習具を立てた状態で載置することができる。
【００２４】
図１１は、上記図１０に示す部分の構造に関する他の実施例を示している。すなわち、フレーム１８を構成する各枠材の構成は同一であるが、薄円盤重錘２３，２３及び固定台１４の装着形式が異なっている。
図において、シャフト１６−２の端面においては雌ねじ孔１６−５が設けられており、薄円盤重錘２３〜２３の夫々に設けられた雄ねじ突部２３−１，２３−１を上記雌ねじ孔１６−５及び重錘２３の背面に設けた雌ねじ孔２３−２に順次螺合して結合する形式である。また、固定台１４にも雄ねじ突部１４−１を設けて、スイング練習具の不使用時には該突部１４−１を上記重錘２３の雌ねじ孔２３−２に螺合して結合するものである。
なお、上記の各実施例におけるフレーム１８には、いずれも上述のネット２５が装着固定されるものである。
【００２５】
次に、特に図示されていないけれども、テニスラケット用スイング練習具について説明する。テニスラケットの場合も練習具の全体構造は他の練習具と略同一であるけれども、抵抗力発生部の構造が多少異なる。すなわち、テニスラケットは本来偏平形状であり、そのスイング方向に対するラケットの成す角度によって空気抵抗が変化する。従って、スイング練習具における抵抗力発生部の外形も変化させ、例えば、上記野球バット型練習具又はゴルフクラブ型練習具のフレーム形状より偏平な断面形状のフレームとすることもでき、また、断面形状が略半球状のフレームとすることもできる。そして、その他の部分の構成は上記野球用バット型あるいはゴルフクラブ型のスイング練習具と略同一とすることができるものである。
【図面の簡単な説明】
【００２６】
【図１】野球用バット型スイング練習具の縦断面図である。
【図２】野球用バット型スイング練習具の側面図である。
【図３】図１のＡ−Ａ断面図である。
【図４】図１のグリップ部、シャフト接続部及びフレームの構造説明図である。
【図５】図１のスイングバランス調整部の構造説明図である。
【図６】ゴルフクラブ型スイング練習具の縦断面図である。
【図７】ゴルフクラブ型スイング練習具の側面図である。
【図８】シャフトとフレーム構造の他の実施例を示す説明図である。
【図９】シャフトとフレーム構造のその他の実施例を示す説明図である。
【図１０】スイングバランス調整部の構造に関する他の実施例の説明図である。
【図１１】スイングバランス調整部の構造に関するその他の実施例の説明図である。
【符号の説明】
【００２７】
１０  野球用バット型スイング練習具
１１  グリップ部
１２，３２  抵抗力発生部
１３，３３  スイングバランス調整部
１４，３４  固定台
１５，３５  グリップ
１６，１６−１，１６−２，３６  シャフト
１８，３８  フレーム
１９，３９  リング状枠材
２０，４０  長円形状枠材
２１，４１  シャフト支持リング
２２，４２  放射状支持枠材
２３  薄円盤型重錘
２４，３７  ストッパー
２５  ネット
３０  ゴルフクラブ型スイング練習具
【図１】
2005137396.tif 000003
【図２】
2005137396.tif 000004
【図３】
2005137396.tif 000005
【図４】
2005137396.tif 000006
【図５】
2005137396.tif 000007
【図６】
2005137396.tif 000008
【図７】
2005137396.tif 000009
【図８】
2005137396.tif 000010
【図９】
2005137396.tif 000011
【図１０】
2005137396.tif 000012
【図１１】
2005137396.tif 000013